【事件の表示】
　特願２００５−５１３２０８「酸素濃縮装置及びそれを用いた在宅酸素療法の実行支援方法」拒絶査定不服審判事件〔平成１７年　２月２４日国際公開、ＷＯ２００５／０１６４２６〕について、次のとおり審決する。
【結　論】
　本件審判の請求は、成り立たない。
【理　由】
Ｉ．手続の経緯
　本願は、平成１６年８月１２日（優先権主張　平成１５年８月１４日、日本国）を国際出願日とする出願であって、平成２１年１１月２６日付けで拒絶査定がなされたところ、同査定を不服として、平成２２年２月２６日に拒絶査定不服審判の請求がなされるとともに、同日付けで特許請求の範囲についての手続補正がなされたものである。
　
II．平成２２年２月２６日付けの手続補正についての補正却下の決定
［補正却下の決定の結論］
　平成２２年２月２６日付けの手続補正（以下、「本件補正」という。）を却下する。
　
［理由］
１．補正後の本願発明
　本件補正により、特許請求の範囲の請求項１は、次のように補正された。
　
「　空気中の酸素を分離して、使用者に酸素富化気体を供給する酸素濃縮装置において、
　使用者の呼吸の有無を検知して、吸気期間だけに酸素富化気体を供給するよう制御する手段と、
　当該吸気期間中において使用者へ供給した酸素富化気体の供給条件の履歴である供給履歴情報を、
時刻の情報と共に
　記録された前記供給履歴情報を、
時刻の情報と共に、
、
　前記出力手段は、脱着可能に構成されて医療機関の情報機器に取り付けて情報を受け渡すためのメモリ手段へ、前記情報の送出を行なうよう構成された
　
２．補正の目的の適否及び新規事項の追加の有無
　本件補正は、補正前の請求項１に記載した発明を特定するために必要な事項である「供給履歴情報を記録する記録手段」及び「前記供給履歴情報を、当該装置外に送出する出力手段および／または表示する表示手段」に対して、それぞれ「時刻の情報と共に」との限定を付加して、「供給履歴情報を、時刻の情報と共に記録する記録手段」及び「記録された前記供給履歴情報を、時刻の情報と共に、当該装置外に送出する出力手段および／または表示する表示手段」と補正し、さらに、同じく補正前の請求項１に記載した発明特定事項である「出力手段」に、「前記出力手段は、脱着可能に構成されて医療機関の情報機器に取り付けて情報を受け渡すためのメモリ手段へ、前記情報の送出を行なうよう構成された」との限定を付加するものであり、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）、以下に検討する。
　
３−１．引用例の記載事項
３−１−１．特開２００３−６２０７６号公報の記載
　本願優先日前に頒布された刊行物であり、原査定の拒絶の理由に引用された、特開２００３−６２０７６号公報（以下、「引用例１」という。）には、図面と共に次の事項が記載されている。
記載Ａ．　「【請求項１】  病院に配置され、在宅酸素療養患者の処方箋データを記憶する第１のコンピュータと、該第１のコンピュータよりの該処方箋データを伝送する第１の伝送装置とを備えた病院側管理装置と、
管理センターに配置され、該病院側管理装置から送られる該処方箋データを受信する第２の伝送装置と、受信された処方箋データを記憶する第２のコンピュータとを備えた管理センター側管理装置と、
患者の居住宅に配置され、該管理センター側管理装置から送られる該処方箋データを受信する第３の伝送装置と、酸素を供給する酸素供給源と、該第３の伝送装置から入力される該処方箋データに基づいて、該酸素供給源から在宅酸素療養患者に供給される酸素量を調節、監視する調節装置と、該調節装置で量が調整された酸素を患者に供給する酸素供給手段とを備えた居住宅側管理装置とを含み、
該居住宅側管理装置は、該調節装置において、患者への酸素投入が該処方箋データ通りに行われない異常を検出した場合の異常発生警報を、該管理センター側管理装置を介して該病院側管理装置へ通報することを特徴とする在宅酸素療養のための処方箋異常検出／監視システム。
【請求項２】  前記居住宅側管理装置は、さらに、前記調節装置における前記患者への酸素投入実績データを、前記管理センター側管理装置を介して前記病院側管理装置へ通報することを特徴とする請求項１記載の在宅酸素療養のための処方箋異常検出／監視システム。
・・」（【特許請求の範囲】）
　
記載Ｂ．　「【発明が解決しようとする課題】本来、病院においては、看護婦がこまめに酸素吸入量、時間を管理しているが、在宅療養している患者は、果たして医師が作成した処方箋通りに酸素吸入が管理されているか疑問である。不適正な酸素吸入は、患者に悪影響を与え、症状を悪化させてしまうという問題点がある。
そこで、本発明は、上述した従来の問題点に鑑み、在宅酸素療養において処方箋通りに酸素を供給する在宅酸素療養のための処方箋異常検出／監視システムを提供することを目的としている。（【０００３】、【０００４】段落）
　
記載Ｃ．　「調節装置３は、酸素供給源２から酸素供給手段４へ供給される酸素量を、入力された処方箋データ通りに調節する。」（【００２８】段落）
　
記載Ｄ．　「また、マイコン３ａは、フローセンサ３ｄの出力を監視し、酸素投入実績データを内蔵メモリに記憶すると共に伝送装置５を介して管理センター２０に送る。管理センター２０は、送られた酸素投入実績データをコンピュータ２１のメモリに記憶すると共に、伝送装置２２を介して病院１０の担当医師宛に送る。
さらに、マイコン３ａは、フローセンサ３ｄの出力に基づき、もし、監視処方箋データ通りに酸素の供給が行われていない異常を検出した場合は、異常発生警報を伝送装置５を介して管理センター２０に送る。
管理センター２０は、送られた異常発生警報を、コンピュータ２１のメモリに記憶すると共に伝送装置２２を介して病院１０の担当医師宛に送る。この時、管理センター２０は、異常発生警報を、患者の居住宅１にいる患者本人または患者の居住宅１もしくは他の場所にいる保護者にも送信するように構成しても良い。」（【００３１】〜【００３３】段落）
　
　上記記載について検討すると、引用例１は、記載Ａ．に、「・・患者の居住宅に配置され、該管理センター側管理装置から送られる該処方箋データを受信する第３の伝送装置と、酸素を供給する酸素供給源と、該第３の伝送装置から入力される該処方箋データに基づいて、該酸素供給源から在宅酸素療養患者に供給される酸素量を調節、監視する調節装置と、該調節装置で量が調整された酸素を患者に供給する酸素供給手段とを備えた居住宅側管理装置とを含み、・・」と記載しているので、引用例１に記載される居住宅側管理装置は、酸素を患者に供給する酸素供給手段を備えるものであり、さらに、記載Ｃ．に、「調節装置３は、酸素供給源２から酸素供給手段４へ供給される酸素量を、入力された処方箋データ通りに調節する。」と記載されるように、酸素量を処方箋データ通りに調節した気体を患者に供給するものである。
　そして、記載Ｂ．に、「【発明が解決しようとする課題】・・在宅療養している患者は、果たして医師が作成した処方箋通りに酸素吸入が管理されているか疑問である。不適正な酸素吸入は、患者に悪影響を与え、症状を悪化させてしまうという問題点がある。
そこで、本発明は、上述した従来の問題点に鑑み、在宅酸素療養において処方箋通りに酸素を供給する在宅酸素療養のための処方箋異常検出／監視システムを提供することを目的としている。」と、在宅酸素療養において、酸素吸入が処方箋通りに管理されているかの監視を課題として記載している。
　さらに、引用例１は、記載Ａ．に、「【請求項１】  病院に配置され、在宅酸素療養患者の処方箋データを記憶する第１のコンピュータと、該第１のコンピュータよりの該処方箋データを伝送する第１の伝送装置とを備えた病院側管理装置と、・・該居住宅側管理装置は、該調節装置において、患者への酸素投入が該処方箋データ通りに行われない異常を検出した場合の異常発生警報を、該管理センター側管理装置を介して該病院側管理装置へ通報することを特徴とする在宅酸素療養のための処方箋異常検出／監視システム。
【請求項２】  前記居住宅側管理装置は、さらに、前記調節装置における前記患者への酸素投入実績データを、前記管理センター側管理装置を介して前記病院側管理装置へ通報することを特徴とする請求項１記載の在宅酸素療養のための処方箋異常検出／監視システム。」と記載し、記載Ｄ．に、「また、マイコン３ａは、フローセンサ３ｄの出力を監視し、酸素投入実績データを内蔵メモリに記憶すると共に伝送装置５を介して管理センター２０に送る。管理センター２０は、・・病院１０の担当医師宛に送る。
さらに、マイコン３ａは、フローセンサ３ｄの出力に基づき、もし、監視処方箋データ通りに酸素の供給が行われていない異常を検出した場合は、異常発生警報を伝送装置５を介して管理センター２０に送る。
管理センター２０は、送られた異常発生警報を、コンピュータ２１のメモリに記憶すると共に伝送装置２２を介して病院１０の担当医師宛に送る。・・」と、患者へ投入された酸素投入実績データを内蔵メモリに記憶し、管理センター２０に送ること、及び、患者へ投入された酸素が処方箋データ通りの供給であるかに基づく、異常発生警報を管理センター２０に送ることを記載している。
　ここに記載される「酸素投入実績」については、当業者からみて、酸素投入を酸素単体の投入のみを意味するとは考えがたく、酸素が富化された気体の投入をも意味するものと通常理解されるので、酸素量を処方箋データ通りに調節した気体の投入量を意味することは、自明の事項といえる。
　そして、管理センター２０に送るための手段として、「・・伝送装置５を介して・・」と、伝送装置を用いることが記載されており、さらに、伝送装置５，２２を介して、病院１０の担当医師宛に送られることは、記載Ａ．に、「【請求項１】  病院に配置され、在宅酸素療養患者の処方箋データを記憶する第１のコンピュータと、該第１のコンピュータよりの該処方箋データを伝送する第１の伝送装置とを備えた病院側管理装置と、・・」と、記載される病院側管理装置に送られることである。
　
　これら記載事項及び図示内容を総合し、本願発明の記載ぶりに則って整理すると、引用例１には、次の発明（以下、「引用発明」という）が記載されている。
　
　患者に酸素量を処方箋データ通りに調節した気体を供給する酸素供給手段とを備えた居住宅側管理装置において、
　患者へ供給した酸素量を処方箋データ通りに調節した気体の投入の実績である酸素投入実績データを、記録する内蔵メモリと、
　記録された前記酸素投入実績データを、当該居住宅側管理装置外の管理センターに送出する伝送装置を備え、
　伝送装置は、病院側管理装置に酸素投入実績データを送るように構成されたものである、酸素供給手段を備えた居住宅側管理装置。
　
３−１−２．国際公開第０１／３２０６９号の記載
　本願優先日前に頒布された刊行物であり、新たに引用する国際公開第０１／３２０６９号（以下、「引用例２」という。）には、図面と共に次の事項が記載されている。なお、引用箇所の末尾に括弧を付して、引用例２の訳文である特表２００３−５２７１６０号公報の対応箇所の記載を記載する。
　
記載Ｅ．　「Most conventional pressure support systems generate compliance data and store it in memory for downloading to an external computer via an RS232 port and/or for display on a display screen in the pressure support device. Other conventional pressure support devices increment a compliance meter visible on the unit. These compliance monitoring techniques require that the device provider or other caregiver physically inspect the pressure support device or physically access the device in order to view or download the compliance data.
It is also known to download compliance data from a pressure support device to a central location via a modem. This technique, however, requires that the patient have access to an available telephone jack and be trained in how to configure the system to use the telephone modem. It also requires that the pressure support system include dedicated circuitry, such as an internal modem or a modem jack, so that the modem can be installed on the device for communicating via conventional communication techniques with a central receiving station. It can be appreciated that providing such dedicated components increases the cost and complexity of the pressure support device. Therefore, it is preferable not to include dedicated communication circuitry in every pressure support system, especially if only a small percentage of patients need to monitored this closely. In addition, the data receiving center that accumulates the compliance data via a modem must have the ability to receive, identify and organize the incoming data, which requires a relatively complicated, automated data processing capability.
SUMMARY OF THE INVENTION
Accordingly, it is an object of the present invention to provide a pressure support system that overcomes the shortcomings of conventional pressure support systems.
This object is achieved according to one embodiment of the present invention by providing a pressure support system that includes a housing and a pressure generating system provided within the housing for generating a flow of breathing gas. A controller, also disposed within the housing, controls the operation of the pressure generating system. A slot provided in the exterior surface of the housing is sized and configured for selectively receiving an information storage device, which is small, light weight, and easily transported, for example, in the mail. A terminal associated with the slot enables the information storage device to communicate with the controller via the terminal when the information storage device is in the slot. This configuration enables the controller to read information from the information storage device, write information to the information storage device, or both when the information storage device is in the slot. In this manner, the information storage device can, for example, provide data to the controller for establishing the operating parameters of the pressure generating system, as well as accumulate compliance data regarding the use of the pressure support system.（ 従来の大多数の圧力支援システムは、適応性データを発生し、メモリにそれを記憶すると共に、RS232ポートを通じて外部コンピュータにダウンロードを行い、更に／又は圧力支援装置の表示画面上に表示する。従来の他の圧力支援装置は、装置上で目視できる適応性メータを加える。前記適応性監視法では、装置供給者又は他の介護人が、物理的に圧力支援装置を検査し又は装置にアクセスして、適応性データを調査し又はダウンロードすることを必要とする。
また、モデムを通じて圧力支援装置から中央記憶装置に適応性データをダウンロードすることは公知である。しかしながら、この方法では、被験者が利用可能な電話の差込口にアクセスし、電話モデムの使用にシステムを適合させる方法について被験者が訓練を受ける必要がある。また、圧力支援システムは、例えば内蔵モデム又はモデムジャック等の専用回路を備え、従来の通信法により集中受信ステーションと通信するモデムを通信装置に取り付けることができる。このような専用構成要素により圧力支援装置の価格及び複雑性を増加することは明らかである。従って、特に僅かな割合の被験者のみに対してこれを厳密に監視する必要があれば、各圧力支援システムに専用通信回路を設けないことが好ましい。また、モデムを通じて適応性データを蓄積するデータ受信センターは、着信データを受信し、識別しかつ組織化しなければならないから、比較的複雑で自動化されたデータ処理能力を必要とする。
　発明の開示
従って、本発明は、従来の圧力支援システムの欠点を解決する圧力支援システムを提供することを目的とする。本目的は、ハウジングと、ハウジング内に形成されかつ呼吸気体流を発生する圧力発生システムとを備える圧力支援システムを提供する本発明の一実施の形態によって達成される。また、ハウジング内に配置される制御装置は、圧力発生装置の動作を制御する。ハウジングの外面に形成されるスロットは、小型、軽量であり郵便等による輸送が容易である情報記憶装置を選択的に嵌合可能な大きさで形成される。スロットに設けられる端子は、情報記憶装置がスロット中に嵌合されるとき、情報記憶装置は、端子を通じて制御装置と通信可能となる。本形態は、情報記憶装置がスロット中にあるとき、制御装置により情報記憶装置から情報を読み出し、情報記憶装置に情報を書き込み、又はその両方を可能にする。このように、例えば情報記憶装置は、圧力発生システムの動作パラメータを確定する制御装置にデータを供給して、圧力支援システムの使用に関する適応性データを蓄積する。（【００２３】〜【００２５】段落））」（第７ページ第１８行〜第８ページ第２０行）
　
記載Ｆ．　「Because information storage device 34'includes card prescription block 80, it can be used in the same manner as information storage device 34 to set the operating parameters of the pressure support system. However, the present invention contemplates omitting the card prescription block so that the information storage device cannot be used to set the operating parameters of the pressure support system, but can be used to store information provided by the pressure support device, such as compliance data, diagnostic data, or any other information gathered by the pressure support system, including information regarding the condition of the patient. In which case, the information storage device may be referred to asdata card, because its purpose is to store information provided to it from the medical device. An example ofother informationthat can be compiled by the information storage device includes data regarding the number of apneas experienced by the user the pressure support device during a pressure support therapy. This information can be useful in monitoring the effectiveness of the patient's pressure support therapy. 
Because of its small size and ease of use, information storage device 34'can be easily and inexpensively mailed to a monitoring center. The monitoring center can download, compile and analyze the data stored thereon for use in monitoring the compliance and/or effectiveness of the pressure support therapy, for example. Because the monitoring center controls the input of data from the information storage devices they receive, the data processing requirements for compiling this data is minimized. As noted above, this information may be of interest to the entity paying for the pressure support device to be sure that the patient is actually using the pressure support system. However, it may also be useful for the patient's caregiver to assess the patient's wellbeing.
In the embodiments described above, the information storage device is described as a smart card or other data storage medium that inserts into a slot provided in the exterior of the pressure support device. The present invention, however, contemplates other techniques for communicating between the pressure support device and the information storage device. For example, Fig. 6 illustrates a pressure support system 30'in which a socalledcontact-lessinformation storage device 152 communicates with pressure support device 32'. The pressure support system shown in Fig. 6 is identical to that shown in Fig. 1, except that instead of inserting the information storage device into a slot to communicate with controller 36, an antenna or other transceiver 154 is provided in place of the slot to communicate between controller 36 and information storage device 152 without the need for the information storage device to physically contact the pressure support device. This embodiment of the present invention enables controller 36 and the information storage device to communicate with one another merely by placing the information storage device in the vicinity of the pressure support system. The present invention contemplates that transceiver 154 can be any conventional device for transmitting data, information or commands to the information storage device, receiving data, information or commands, from the information storage device, or both. For example, transceiver 154 can be an RF, infrared, sonic, ultrasonic, or optical transmitter.（  情報記憶装置34'はカード処方ブロック80を備えるので、情報記憶装置34と同様の方法で情報記憶装置34'を使用して、圧力支援システムの動作パラメータを設定することができる。しかしながら、カード処方ブロックを省略するため、情報記憶装置を使用して圧力支援装置の動作パラメータを設定できないが、本発明は、情報記憶装置を使用して被験者の状態に関する情報を含み圧力支援装置によって収集された適応性データ、診断データ又は他のあらゆる情報等、圧力支援装置によって供給される情報を記憶することができる。この場合、医療機器から供給される情報を記憶することを目的とするため、情報記憶装置は「データカード」と呼ぶことができる。情報記憶装置に蓄積できる「他の情報」の例は、圧力支援治療の間に、圧力支援装置を経験するユーザの無呼吸の番号に関するデータを含む。被験者の圧力支援治療の効果を監視する際に、この情報は有用である。
小型で取り扱いやすい情報記憶装置34'は、容易かつ安価に監視センターに郵送することができる。監視センターは、情報記憶装置34'に記憶されるデータをダウンロードし、収集しかつ分析して、例えば、圧力支援治療の適応性及び／又は有効性を監視することができる。監視センターは、受け取る情報記憶装置からのデータ入力を制限すれば、データの蓄積に要するデータ処理を最小限度に抑制できる。前記のように、この情報は、圧力支援装置の代金を払う企業にとって重要であり、被験者が実際に圧力支援システムを確実に利用できる。しかし、またこの情報は、被験者の介護人が被験者の健康度を評価するのに有効である。
前記実施の形態では、情報記憶装置は、圧力支援装置の外側に設けられるスロット内に挿入されるスマートカード又は他のデータ記憶媒体を示す。しかしながら、本発明は、圧力支援装置と情報記憶装置との間で通信を行う他の方法を企図する。例えば、図６は、いわゆる「非接触」型の情報記憶装置152が圧力支援装置32'と情報通信を行う圧力支援システム30'を例示する。図６に示す圧力支援システムは、制御装置36と通信を行うスロットに情報記憶装置を挿入する点及び物理的に圧力支援装置と接触する情報記憶装置を必要とせずに、スロットに代わりアンテナ又は他の送受信装置154が制御装置36と情報記憶装置152との間で通信を行う点を除き図１に示す圧力支援システムと同一である。本発明の本実施の形態では、圧力支援システムの付近に情報記憶装置を単に配置するだけで制御装置36と情報記憶装置との相互通信が可能となる。本発明は、情報記憶装置へのデータ、情報若しくは命令を送信、情報記憶装置からのデータ、情報若しくは命令の受信又はその両方が可能な従来の装置である送受信装置154を使用できることを企図する。例えば、送受信装置154は、無線式、赤外線式、音波式、超音波式又は光学式の送信機を使用できる。
（【００８７】〜【００８９】段落））」（第２６ページ第２１行〜第２７ページ第２７行）
　
記載Ｇ．　「In the embodiments discussed above, the information storage device is described for use in conjunction with a pressure support system. It is to be understood, however, that the present invention further contemplates using the information storage device
as a means to communicate with and/or control the operation of other medical devices. For example, information storage device can be provided in a glucose monitor so that each time the patient checks his or her blood sugar level, the results are stored on the information storage device, which can then be sent to the caregiver for review or analysis. Other medical devices in which the above-described information storage device technique for communication can be used include: light therapy devices, magnetic therapy devices, pulse oximeters, blood gas analyzers, spirometers, oxygen concentrator, any monitor, such as an infant monitor. It is to be understood that this list is not intended to be exclusive or exhaustive.（前記実施の形態では、圧力支援システムに接続して使用する情報記憶装置を説明する。本発明は、更に他の医療機器に通信接続されかつ／又はその動作を制御する手段として情報記憶装置を使用することを企図する。例えば、糖監視装置に情報記憶装置を設けて、被験者が血糖値を検査する毎に、検査結果を記憶した情報記憶装置を精査又は分析のため介護人に郵送することができる。前記通信用情報記憶装置技術を用いる他の医療機器は、光治療装置、磁気治療装置、パルス酸素濃度計、血液気体分析装置、肺活量計、酸素濃縮装置及び幼児監視装置等全ての監視装置を含む。この列挙は限定的又は全てではないと理解すべきである。（【０１０２】段落））」（第３０ページ第３０行〜第３１ページ第８行）
　
　上記記載事項について検討すると、記載Ｅ．，Ｆ．には、メモリに記憶すると共に、RS232ポートを通じて外部コンピュータにダウンロードを行ことに換えて、脱着可能に構成され、情報を受け渡すための、スマートカード又は他のデータ記憶媒体を用いることが記載されており、さらに、その適用範囲として、記載Ｇ．には、「・・前記通信用情報記憶装置技術を用いる他の医療機器は、光治療装置、磁気治療装置、パルス酸素濃度計、血液気体分析装置、肺活量計、酸素濃縮装置及び幼児監視装置等全ての監視装置を含む。・・」と、酸素濃縮装置への適用が記載されている。
　
３−２．対比
　本願補正発明と引用発明とを対比すると、各文言の意味、機能または作用等からみて、引用発明の「患者」は、本願補正発明の「使用者」に相当し、引用発明の「酸素量を処方箋データ通りに調節した気体」は、引用例１が単に「酸素」なる用語を使用するように、酸素を減らしたものではなく、富化するように調節したものであると理解されるので、本願補正発明の「酸素富化気体」に相当する。
　そして、引用発明の「酸素投入実績データ」は、酸素量を処方箋データ通りに調節した気体の投入の実績であることから、本願補正発明の酸素富化気体の供給条件の履歴である「供給履歴情報」に相当し、それを記録する、引用発明の「内蔵メモリ」は本願補正発明の「記録手段」に相当している。
　さらに、引用発明の「病院側管理装置」は、その存在位置からみて、本願補正発明の「医療機関の情報機器」に相当し、引用発明の「伝送装置」は、病院側管理装置に取り付けるものではないが、装置外に酸素投入実績データを送出する範囲においては、本願補正発明の「出力手段」に相当している。
　また、引用発明の「居住宅側管理装置」と、本願補正発明の「酸素濃縮装置」とを対比すると、引用発明の「居住宅側管理装置」は、本願補正発明の酸素富化気体に相当する患者に酸素量を処方箋データ通りに調節した気体を供給する酸素供給手段とを備えるので、それが空気中の酸素を分離して濃縮したものではない点においては差異を有するとしても、ともに、「酸素富化気体の供給装置」である点では、共通している。
　
　そこで、本願補正発明の用語を用いて表現すると、両発明は次の点で一致する。
　
（一致点）
「　使用者に酸素富化気体を供給する酸素富化気体の供給装置において、
　使用者へ供給した酸素富化気体の供給条件の履歴である供給履歴情報を記録する記録手段と、
　記録された前記供給履歴情報を、当該装置外に送出する出力手段と、を備え、
　前記出力手段は、医療機関の情報機器に情報を受け渡すために情報の送出を行なうよう構成された酸素富化気体の供給装置。」
　
　そして、両発明は次の点で相違する（対応する引用発明の用語を（　）内に示す）。
　
（相違点１）
　本願補正発明の酸素富化気体の供給装置は、空気中の酸素を分離する酸素濃縮装置であるのに対し、引用発明の酸素富化気体の供給装置（居住宅側管理装置）は、空気中の酸素を分離するものではない点。
　
（相違点２）
　本願補正発明は、使用者の呼吸の有無を検知して、吸気期間だけに酸素富化気体を供給するよう制御する手段を備え、使用者への酸素富化気体の供給は、吸気期間中においてなされるのに対して、引用発明は、使用者（患者）の呼吸の有無を検知して行うものではない点。
　
（相違点３）
　本願補正発明の供給履歴情報は、時刻の情報と共に記録され、送出されるのに対し、引用発明の供給履歴情報（酸素投入実績データ）は記録され、送出されるものの、時刻の情報と共に記録され、送出されるとの記載はない点。
　
（相違点４）
　本願補正発明の出力手段は、脱着可能に構成されて医療機関の情報機器に取り付けて情報を受け渡すためのメモリ手段へ情報の送出を行なうものであるのに対して、引用発明の出力手段（伝送装置）は、医療機関の情報機器（病院側管理装置）に情報（酸素投入実績データ）を受け渡すために送出するものの、脱着可能なメモリ手段へ行うものではない点。
　
３−３．相違点の判断
　上記相違点について検討する。
　
（相違点１について）
　酸素富化気体の供給装置として、空気中の酸素を分離する酸素濃縮装置は、従来周知の技術（参考例　特開２００３−１７５１０７号公報、特開２００２−２７２８４５号公報、特開平２−８８０７８号公報）であるから、引用発明に、周知の技術を適用して、相違点１に係る本願補正発明の発明特定事項のようにすることは、当業者が容易に想到し得たことである。
　
（相違点２について）
　酸素富化気体の供給にあたり、使用者の呼吸の有無を検知して、吸気期間だけに酸素富化気体を供給するよう制御することは、従来周知の技術（参考例　特開２００２−２７２８４５号公報、特開平２−８８０７８号公報）であるから、引用発明に、周知の技術を適用して、相違点２に係る本願補正発明の発明特定事項のようにすることは、当業者が容易に想到し得たことである。
　
（相違点３について）
　一般にイベント情報を取り扱うにあたり、その時刻を併せ記録等することは、特段の例示を待つまでもなく、広く各分野でなされるところ、医療機器においても、従来周知の技術（参考例　米国特許第５７０６８０１号明細書、特開平８−１９６１１号公報）であるから、引用発明に、周知の技術を適用して、相違点３に係る本願補正発明の発明特定事項のようにすることは、当業者が容易に想到し得たことである。
　
（相違点４について）
　引用発明においても、出力手段（伝送装置）により、医療機関の情報機器（病院側管理装置）に情報を受け渡すものであり、情報の受け渡し手段として、機器に取り付けて情報を受け渡すためのメモリ手段は、メモリカード、ICカード等の呼称で呼ばれるように周知のものであり、在宅治療機器における情報の受け渡しに、このようなメモリ手段を用いることも、従来周知の技術（参考例　引用例２、特開平８−２６６５２２号公報）である。
　しかも、引用例２には、これらメモリ手段を酸素濃縮装置へ適用することの示唆がなされている。
　してみると、引用例２に記載される示唆に基づいて、引用発明に周知の技術を適用して、相違点４に係る本願補正発明の発明特定事項のようにすることは、当業者が容易に想到し得たことである。
　
　そして、本願補正発明による効果も、引用発明及び引用例２に記載されたもの並びに周知技術から当業者が予測し得た程度のものであって、格別のものとはいえない。
　
　したがって、本願補正発明は、引用発明及び引用例２に記載されたもの並びに周知技術に基いて、当業者が容易に発明をすることができたものであるので、特許法第２９条第２項の規定により、特許出願の際独立して特許を受けることができない。
　
３−４．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、拒絶査定時の平成２１年４月２１日付けの手続補正書により補正された特許請求の範囲の請求項１に記載された事項により特定される、以下のとおりのものである。
「　空気中の酸素を分離して、使用者に酸素富化気体を供給する酸素濃縮装置において、
　使用者の呼吸の有無を検知して、吸気期間だけに酸素富化気体を供給するよう制御する手段と、
　当該吸気期間中において使用者へ供給した酸素富化気体の供給条件の履歴である供給履歴情報を記録する記録手段と、
　記録された前記供給履歴情報を、当該装置外に送出する出力手段および／または表示する表示手段と、
　を備えたことを特徴とする酸素濃縮装置。」
　
IV．引用例の記載事項
　原査定の拒絶の理由に引用された引用例１の記載事項は、前記「II．平成２２年２月２６日付けの手続補正についての補正却下の決定」の「３−１−１．特開２００３−６２０７６号公報の記載」に記載したとおり、引用発明として、
　
　患者に酸素量を処方箋データ通りに調節した気体を供給する酸素供給手段とを備えた居住宅側管理装置において、
　患者へ供給した酸素量を処方箋データ通りに調節した気体の投入の実績である酸素投入実績データを、記録する内蔵メモリと、
　記録された前記酸素投入実績データを、当該居住宅側管理装置外の管理センターに送出する伝送装置を備え、
　
　
が記載されているのであるから、本願発明の記載ぶりに則して整理すると、以下の発明（以下、「引用例１に記載される発明」という。）が記載されている。
　
「　患者に酸素量を処方箋データ通りに調節した気体を供給する酸素供給手段とを備えた居住宅側管理装置において、
　患者へ供給した酸素量を処方箋データ通りに調節した気体の投入の実績である酸素投入実績データを、記録する内蔵メモリと、
　記録された前記酸素投入実績データを、当該居住宅側管理装置外の管理センターに送出する伝送装置を備えた居住宅側管理装置。
　
Ｖ．対比・判断
　ここで、本願発明と引用例１に記載される発明とを対比すると、前記「II．平成２２年２月２６日付けの手続補正についての補正却下の決定」の「３−２．対比」に記載したとおり、引用例１に記載される発明の「患者」は、本願補正発明の「使用者」に相当し、以下同様に、「酸素量を処方箋データ通りに調節した気体」は「酸素富化気体」に、「酸素投入実績データ」は「供給履歴情報」に、「内蔵メモリ」は「記録手段」に、「伝送装置」は「出力手段」に、それぞれ相当している。
　また、引用例１に記載される発明の「居住宅側管理装置」と、本願補正発明の「酸素濃縮装置」とは、ともに、「酸素富化気体の供給装置」である点で共通している。
　そこで、本願発明の用語を用いて表現すると、両発明は次の点で一致する。
　
　使用者に酸素富化気体を供給する酸素富化気体の供給装置において、
　使用者へ供給した酸素富化気体の供給条件の履歴である供給履歴情報を記録する記録手段と、
　記録された前記供給履歴情報を、当該装置外に送出する出力手段と、
　を備えた酸素富化気体の供給装置。
　
　そして、両発明は次の点で相違する（引用例１に記載される発明の対応する用語を（　）内に示す。）。
　
（相違点５）
　本願発明の酸素富化気体の供給装置は、空気中の酸素を分離する酸素濃縮装置であるのに対し、引用例１に記載される発明の酸素富化気体の供給装置（居住宅側管理装置）は、空気中の酸素を分離するものではない点。
　
（相違点６）
　本願発明は、使用者の呼吸の有無を検知して、吸気期間だけに酸素富化気体を供給するよう制御する手段を備え、使用者への酸素富化気体の供給は、吸気期間中においてなされるのに対して、引用例１に記載される発明は、使用者（患者）の呼吸の有無を検知して行うものではない点。
　
　しかしながら、相違点５、６は、前記「II．平成２２年２月２６日付けの手続補正についての補正却下の決定」の「３−３．相違点の判断」の「（相違点１について）」及び「（相違点２について）」に記載した理由と同様の理由により、いずれも周知の技術を適用して、容易に想到し得るものであるから、相違点５、６は、引用例１に記載される発明に、周知の技術を適用して、当業者が容易に想到し得たことである。
　
　そして、本願発明による効果も、引用例１に記載される発明及び周知技術から当業者が予測し得た程度のものであって、格別のものとはいえない。
　
　したがって、本願発明は、引用例１に記載される発明及び周知技術に基いて、当業者が容易に発明をすることができたものである。
　
VI．むすび
　以上のとおり、本願発明は、引用例１に記載される発明及び周知技術に基いて、当業者が容易に発明をすることができたものであるから、特許法第２９条第２項の規定により、特許を受けることができない。
　よって、結論のとおり審決する。